(57)【要約】【課題】フラットケーブルを筐体の側壁側から移動体側へ湾曲させた状態で配置する構成において、フラットケーブルが大きく膨らむことを抑制することが可能な画像処理装置を提供する。【解決手段】ＦＦＣ６は、湾曲部６Ｇの内周側に配置された第１ＦＦＣ６１と、湾曲部６Ｇの外周側に配置された第２ＦＦＣ６２とを有する。画像処理装置は、被固定部６Ｆと読取ヘッド側端子６Ａとの間に設けられ、第１ＦＦＣ６１と第２ＦＦＣ６２とを互いに連結する連結部６Ｅと、連結部６Ｅと読取ヘッド側端子６Ａとの間に設けられ、第１ＦＦＣ６１の保持部５５から連結部６Ｅまでの第１領域６１Ａの長さと第２ＦＦＣ６２の保持部５５から連結部６Ｅまでの第２領域６２Ａの長さとを異ならせた状態で第１ＦＦＣ６１と第２ＦＦＣ６２とを保持する保持部５５とを備える。【選択図】図６
2019134228.tif 000002
【特許請求の範囲】
【請求項１】
第１方向へ移動する移動体と、
前記第１方向と直交する第２方向において前記移動体の一側に配置された第１側壁と、前記移動体を挟んで前記第１側壁とは反対側に配置された第２側壁と、前記第１側壁及び前記第２側壁を繋ぐ底壁と、を有する筐体と、
前記移動体に接続された被接続部と、前記第１側壁に固定された被固定部と、湾曲して前記被接続部と前記被固定部とを繋ぐ湾曲部とを有するフラットケーブルと、を備える画像処理装置であって、
前記フラットケーブルは、前記湾曲部の内周側に配置された第１フラットケーブルと、前記湾曲部の外周側に配置された第２フラットケーブルとを有し、
前記被固定部と前記被接続部との間に設けられ、前記第１フラットケーブルと前記第２フラットケーブルとを保持する第１保持部と、
前記第１保持部と前記被接続部との間に設けられた第２保持部であって、前記第１フラットケーブルの前記第１保持部から前記第２保持部までの第１領域の長さと前記第２フラットケーブルの前記第１保持部から前記第２保持部までの第２領域の長さとを異ならせた状態で前記第１フラットケーブルと前記第２フラットケーブルとを保持する前記第２保持部と、を備える、ことを特徴とする画像処理装置。
【請求項２】
前記第２領域は前記第１領域より長いことを特徴とする請求項１に記載の画像処理装置。
【請求項３】
前記第１保持部及び前記第２領域は、前記移動体の位置によらず、前記第１側壁から離れた位置にあることを特徴とする請求項１又は請求項２に記載の画像処理装置。
【請求項４】
前記第２保持部は、前記移動体に設けられ、前記第１フラットケーブルを案内する第１案内部と、前記第２フラットケーブルを案内する第２案内部と、を有し、
前記第１案内部及び前記第２案内部の一方は他方よりも迂回する、ことを特徴とする請求項１から請求項３の何れか一項に記載の画像処理装置。
【請求項５】
前記フラットケーブルは、前記第１フラットケーブルと前記第２フラットケーブルとが一体であり、前記被固定部と前記第１保持部との間に前記フラットケーブルの長手方向に沿って形成される第１スリットと、前記第１保持部と前記被接続部との間であって前記第１スリットの延長線上に形成される第２スリットとを有し、前記第１スリット及び前記第２スリットに沿って折り曲げられて前記第１フラットケーブル及び前記第２フラットケーブルが形成されることを特徴とする請求項１から請求項４の何れか一項に記載の画像処理装置。
【請求項６】
前記第１フラットケーブルと前記第２フラットケーブルとは別体であり、
前記被接続部は、前記第１フラットケーブルの端部である第１被接続部と、前記第２フラットケーブルの端部である第２被接続部とを有する、
ことを特徴とする請求項１から請求項４の何れか一項に記載の画像処理装置。
【請求項７】
第１方向へ移動する移動体と、
前記第１方向と直交する第２方向において前記移動体の一側に配置された第１側壁と、前記移動体を挟んで前記第１側壁とは反対側に配置された第２側壁と、前記第１側壁及び前記第２側壁を繋ぐ底壁と、を有する筐体と、
前記移動体に接続された被接続部と、前記第１側壁に固定された被固定部と、湾曲して前記被接続部と前記被固定部とを繋ぐ湾曲部とを有するフラットケーブルと、
前記フラットケーブルの内周側又は外周側に配置された可撓性部材と、を備える画像処理装置であって、
前記被固定部と前記被接続部との間に設けられ、前記フラットケーブルと前記可撓性部材とを保持する第１保持部と、
前記第１保持部と前記被接続部との間に設けられた第２保持部であって、前記フラットケーブルの前記第１保持部から前記第２保持部までの第１領域の長さと前記可撓性部材の前記第１保持部から前記第２保持部までの第２領域の長さとを異ならせた状態で前記フラットケーブルと前記可撓性部材とを保持する前記第２保持部と、を備える、ことを特徴とする画像処理装置。
【発明の詳細な説明】
【技術分野】
【０００１】
本発明は、画像処理装置に関する。
【背景技術】
【０００２】
従来からプリンタ、複写機、ファクシミリ等の画像処理装置において、原稿を読み取る読取ヘッドやインクを吐出する吐出ヘッドのように筐体内を移動する移動体が設けられている。このような移動体には、通常、制御部との信号の授受のためにフラットケーブルが接続されている。
【０００３】
フラットケーブルは移動体の移動とともに移動及び変形するため、筐体内でどのような配置で這い回すかによって様々な利点と課題がある。例えば、筐体の上下方向の厚みを薄くするためにフラットケーブル筐体の側壁側から移動体側へ湾曲させた状態で配置する手法がある（特許文献１参照）。
【０００４】
特許文献１に開示される画像処理装置においては、筐体は移動体よりも移動体の移動方向と直交する方向の一側に配置される第１側壁を有している。また、フラットケーブルは、移動体に接続される一端部と、筐体の第１側壁に接続される他端部と、一端部と他端部との間に形成される湾曲部とを有している。
【先行技術文献】
【特許文献】
【０００５】
【特許文献１】特開２００１−３４６００６号公報
【発明の概要】
【発明が解決しようとする課題】
【０００６】
しかしながら、特許文献１の構成によれば、フラットケーブルの湾曲部が第１側壁から離れる方向に大きく膨らむと、例えば、移動体が移動する際にフラットケーブルが座屈したり、フラットケーブルが移動体を移動させるためのベルトやガイドなどの移動体駆動機構と干渉したりするおそれがある。
【０００７】
本発明は、フラットケーブルを筐体の側壁側から移動体側へ湾曲させた状態で配置する構成において、フラットケーブルが大きく膨らむことを抑制することが可能な画像処理装置を提供することを目的とする。
【課題を解決するための手段】
【０００８】
本発明の画像処理装置は、第１方向へ移動する移動体と、前記第１方向と直交する第２方向において前記移動体の一側に配置された第１側壁と、前記移動体を挟んで前記第１側壁とは反対側に配置された第２側壁と、前記第１側壁及び前記第２側壁を繋ぐ底壁と、を有する筐体と、前記移動体に接続された被接続部と、前記第１側壁に固定された被固定部と、湾曲して前記被接続部と前記被固定部とを繋ぐ湾曲部とを有するフラットケーブルと、を備える画像処理装置であって、前記フラットケーブルは、前記湾曲部の内周側に配置された第１フラットケーブルと、前記湾曲部の外周側に配置された第２フラットケーブルとを有し、前記被固定部と前記被接続部との間に設けられ、前記第１フラットケーブルと前記第２フラットケーブルとを保持する第１保持部と、前記第１保持部と前記被接続部との間に設けられた第２保持部であって、前記第１フラットケーブルの前記第１保持部から前記第２保持部までの第１領域の長さと前記第２フラットケーブルの前記第１保持部から前記第２保持部までの第２領域の長さとを異ならせた状態で前記第１フラットケーブルと前記第２フラットケーブルとを保持する前記第２保持部と、を備える、ことを特徴とする。
【０００９】
上記の構成によれば、フラットケーブルを筐体の第１側壁側から移動体側へ湾曲させた状態で配置する構成において、第２保持部を設けることにより第１領域の長さと第２領域の長さとを異ならせている。
【発明の効果】
【００１０】
本発明によれば、フラットケーブルを筐体の第１側壁側から移動体側へ湾曲させた状態で配置する構成において、第１領域の長さと第２領域の長さとを異ならせることにより、第１領域及び第２領域に腰を持たせてフラットケーブルが大きく膨らむことを抑制することができる。これにより、フラットケーブルの座屈及び他の部材との干渉を抑制することができる。
【図面の簡単な説明】
【００１１】
【図１】一実施形態の画像処理装置の斜視図である。
【図２】一実施形態の画像読取部の斜視図である。
【図３】一実施形態の画像読取部の平面図である。
【図４】一実施形態の画像読取部の内部構成を示す平面図である。
【図５】一実施形態の画像読取部の内部構成を示す平面図である。
【図６】一実施形態の画像読取部の内部構成を示す平面図である。
【図７】一実施形態のＦＦＣの模式図である。
【図８】保持部周辺におけるＦＦＣの様子を説明する図であり、（ａ）は保持部周辺の部分断面図であり、（ｂ）は保持部周辺におけるＦＦＣの斜視図である。
【発明を実施するための形態】
【００１２】
［画像処理装置の全体構成］
図１に示す画像処理装置１は、本発明に係る画像処理装置１の一実施形態であり、画像読取機能、プリント機能及びコピー機能等の画像形成機能、ならびにファクシミリ送受信機能等を備えた複合機として構成されている。以下の説明においては、図１に示すように、操作パネル２２が設けられた側を画像処理装置１の前側と規定し、画像処理装置１を操作パネル２２に向かってみたときに左手にくる側を画像処理装置１の左側と規定して、前後、左右、及び上下の方向を表す。左右方向は第１方向の一例であり、前後方向は第２方向の一例である。
【００１３】
画像処理装置１は、本体部２と、本体部２の上方に配置される画像読取部３と、画像読取部３の上方に配置される自動原稿搬送部４とを備えている。本体部２はシートに画像を形成する画像形成部を収容している。本体部２の下部にはシートを収容するシートカセット２１が設けられている。本体部２の前側上部には、画像処理装置１に対する入力操作を行う操作部、及び画像処理装置１の動作状態等を表示する表示部を備えた操作パネル２２が設けられている。
【００１４】
自動原稿搬送部４は、自動原稿搬送部４に載置された複数枚の原稿を１枚ずつ分離して画像読取部３へ順次搬送する、所謂ＡＤＦ（Ａｕｔｏｍａｔｉｃ  Ｄｏｃｕｍｅｎｔ  Ｆｅｅｄｅｒ）装置である。画像読取部３は、フラットベッド型イメージスキャナとしての機能を有している。また、画像読取部３は、自動原稿搬送部４と協働することによりＡＤＦ型イメージスキャナとして機能する。
【００１５】
［画像読取部の構成］
図２、図３に示すように、画像読取部３は、筐体３１と、筐体３１の上部を覆うカバー部材３２とを有している。カバー部材３２にはプラテンガラス３３が取り付けられている。プラテンガラス３３の上面は、第１面３３ａと第２面３３ｂとに区画されている。
【００１６】
第１面３３ａは、画像読取部３がフラットベッド型イメージスキャナとして利用される際に原稿が載置される原稿載置面である。第２面３３ｂは、画像読取部３がＡＤＦ型イメージスキャナとして利用される際に、自動原稿搬送部４によって搬送される原稿が接触しつつ通過する部分である。なお、本実施形態においては、１枚のプラテンガラス５１を用いて第１面３３ａと第２面３３ｂとを構成しているが、第１面３３ａと第２面３３ｂとを別々のプラテンガラスによって構成することも可能である。
【００１７】
図４から図６は画像読取部の内部構成を示す平面図であり、図４は読取ヘッドが第１位置にある状態を示し、図５は読取ヘッドが第１位置と第２位置との間にある状態を示し、図６は読取ヘッドが第２位置にある状態を示している。
【００１８】
図４から図６に示すように、筐体３１は、底壁３１Ａと、第１側壁の一例としての後側壁３１Ｂと、第２側壁の一例としての前側壁３１Ｃと、左側壁３１Ｄと、右側壁３１Ｅとを有している。後側壁３１Ｂは底壁３１Ａの後端縁部から上方に突出し、前側壁３１Ｃは底壁３１Ａの前端縁部から上方に突出し、左側壁３１Ｄは底壁３１Ａの左端縁部から上方に突出し、右側壁３１Ｅは底壁３１Ａの左端縁部から上方に突出している。
【００１９】
画像読取部３は、読取ヘッド５、キャリッジ５０、走査機構５１、及びフラットケーブル（以降、ＦＦＣと記す）６を有している。読取ヘッド５及びキャリッジ５０は移動体の一例である。読取ヘッド５、キャリッジ５０、走査機構５１、及びＦＦＣ６は、筐体３１内に収容されている。筐体３１の後側壁３１Ｂと前側壁３１Ｃとの間にはガイドレール３１Ｆが形成されている。ガイドレール３１Ｆは、底壁３１Ａから上方に突出しており、筐体３１の左端部から右端部にわたって形成されている。
【００２０】
キャリッジ５０は、前後方向に沿って長尺に形成されており、前後方向において前側壁３１Ｃの近傍から後側壁３１Ｂの近傍までにわたって配置されている。キャリッジ５０は、ガイドレール３１Ｆに対して摺動可能に嵌合する溝部５０Ａを有している。キャリッジ５０は、溝部５０Ａがガイドレール３１Ｆに嵌合することで、ガイドレール３１Ｆに案内されながら左右方向へ往復移動可能となっている。キャリッジ５０は、ＦＦＣ６を保持する第２保持部の一例としての保持部５５を有している。保持部５５は、走査機構５１より後方のキャリッジ５０の左側部に形成されている。
【００２１】
読取ヘッド５は、前後方向に沿って長尺に形成されている。読取ヘッド５は、例えば密着イメージメンサ（Ｃｏｎｔａｃｔ  Ｉｍａｇｅ  Ｓｅｎｓｏｒ）にて構成されており、読取ヘッド５が有する複数の読取素子は前後方向に沿って配列されている。読取ヘッド５の後端部近傍の底面にはＦＦＣ６を接続するためのコネクタ５Ａが設けられている。
【００２２】
読取ヘッド５は、キャリッジ５０に装着されており、キャリッジ５０と一体的に第１位置（図４参照）と第２位置（図６参照）との間で左右方向へ往復移動可能に構成されている。読取ヘッド５の下方には底壁３１Ａ、読取ヘッド５の後方には後側壁３１Ｂ、読取ヘッド５の前方には前側壁３１Ｃが配置されている。
【００２３】
走査機構５１は、駆動プーリ５２、従動プーリ５３、及びタイミングベルト５４を有している。駆動プーリ５２は、筐体３１内の左端部においてガイドレール３１Ｆに近接して配置されている。従動プーリ５３は、筐体３１内の右端部においてガイドレール３１Ｆに近接して配置されている。タイミングベルト５４は、駆動プーリ５２と従動プーリ５３とに巻き掛けられた無端ベルトであり、ガイドレール３１Ｆに沿って左右方向に延びている。タイミングベルト５４のうち、前後方向においてガイドレール３１Ｆの近くに配置される部分は、キャリッジ５０に連結される連結部５４Ａを有している。
【００２４】
駆動プーリ５２は画像読取部３が備える駆動源により駆動され、正転方向と、逆転方向とに回転可能に構成されている。駆動プーリ５２が正転方向に回転すると、タイミングベルト５４の連結部５４Ａが左側から右側へ向かって移動する。これにより、キャリッジ５０及び読取ヘッド５も左側から右側へ向かって一体的に移動する。一方、駆動プーリ５２が逆転方向に回転すると、タイミングベルト５４の連結部５４Ａが右側から左側へ向かって移動する。これにより、キャリッジ５０及び読取ヘッド５も右側から左側へ向かって一体的に移動する。このように、読取ヘッド５は、駆動プーリ５２の正転方向及び逆転方向の回転により、筐体３１内を左右方向に往復移動可能となっている。
【００２５】
ＦＦＣ６は、例えば図７に示すような形態とすることができる。図７のＦＦＣ６は、幅方向に所定間隔で並んだ複数の導体を２枚の絶縁フィルム及び接着剤で挟むことにより一体成型されており、可撓性を有している。ＦＦＣ６は、長手方向の端部にそれぞれ読取ヘッド５のコネクタ５Ａに接続される被接続部の一例としての読取ヘッド側端子６Ａと、本体部２内に設けられた図示しない制御部に接続される制御部側端子６Ｂとを有している。
【００２６】
ＦＦＣ６は、第１スリット６Ｃ、第２スリット６Ｄ及び第１保持部の一例としての連結部６Ｅを有している。第１スリット６Ｃは、被固定部６Ｆと連結部６Ｅとの間であってＦＦＣ６の短手方向の中央に、導体間に沿ってＦＦＣ６の長手方向に形成されている。第１スリット６Ｃの左端部は、本実施形態ではＦＦＣ６の長手方向の中央付近に位置しているが、制御部側端子６Ｂ近傍に位置してもよい。
【００２７】
第２スリット６Ｄは、連結部６Ｅと読取ヘッド側端子６Ａとの間、すなわち第１スリット６Ｃの読取ヘッド側端子６Ａ側に、第１スリット６Ｃと離間して第１スリット６Ｃの延長線上に形成されている。連結部６Ｅは、第１スリット６Ｃと第２スリット６Ｄとの間に位置するスリットが形成されていない部分である。
【００２８】
このようなＦＦＣ６は、第１スリット６Ｃの左端部から第２スリット６Ｄの右端部までの領域が、第１スリット６Ｃの延長線であるＡ−Ａ線に沿って折り曲げて重ねられた状態で画像読取部３に取り付けられる。ＦＦＣ６を折り曲げた構成とすることによりＦＦＣ６の短手方向の長さが短くなるので、筐体３１の薄型化に対応させることができる。以下では、折り曲げられたＦＦＣ６の一方側を第１ＦＦＣ６１、他方側を第２ＦＦＣ６２と称する。ＦＦＣ６を折り曲げた構成とすることにより、第１ＦＦＣ６１及び第２ＦＦＣ６２を１本のＦＦＣによって作製できる。
【００２９】
次に、図４から図６及び図８を参照してＦＦＣ６の配置について説明する。ＦＦＣ６の読取ヘッド側端子６Ａは、読取ヘッド５のコネクタ５Ａに接続されている。一方、ＦＦＣの制御部側端子６Ｂは、後側壁３１Ｂ付近に形成された本体部２と連通する開口部３１Ｇを通じて、制御部に接続されている。
【００３０】
ＦＦＣ６は、底壁３１Ａから離れた位置で後側壁３１Ｂに両面テープ等により固定された被固定部６Ｆを有する。被固定部６Ｆは、読取ヘッド５が第２位置にある状態（図６参照）において、ＦＦＣ６の後側壁に接触する領域に設けられる。つまり、被固定部６Ｆとして後側壁３１Ｂに固定される部分は後側壁３１Ｂに接触している領域全体であってもよいし、その領域の一部であってもよい。
【００３１】
ＦＦＣ６は、読取ヘッド側端子６Ａと被固定部６Ｆとを繋ぐ湾曲部６Ｇを有する。湾曲部６Ｇは、後側壁３１Ｂから前側壁３１Ｃ側へＵ字状に湾曲している。湾曲部６Ｇは、ＦＦＣ６が保持部５５とＦＦＣ６の左端部が接触している後側壁３１Ｂ部分とに支持されることで形成される。湾曲部６Ｇの後側壁３１Ｂから離れた部位の長さは、読取ヘッド５が第２位置にある場合に最大、第１位置にある場合に最小となる。第１ＦＦＣ６１は湾曲部６Ｇの内周側に配置され、第２ＦＦＣ６２は湾曲部６Ｇの外周側に第１ＦＦＣ６１に重ねて配置されている。
【００３２】
図８は保持部５５周辺におけるＦＦＣ６の様子を説明する図であり、（ａ）は保持部５５周辺の部分断面図であり、（ｂ）は保持部５５周辺におけるＦＦＣ６の斜視図である。図８（ａ）に示すように、ＦＦＣ６の連結部６Ｅと読取ヘッド側端子６Ａとの間の一部は、保持部５５によって保持されている。保持部５５は、第１ＦＦＣ６１及び第２ＦＦＣ６２を案内する経路を形成するための第１ブロック５５Ａ、第２ブロック５５Ｂ、第３ブロック５５Ｃ、第４ブロック５５Ｄ及び第５ブロック５５Ｅを有する。
【００３３】
第１ブロック５５Ａは、前後方向に延び、保持部５５の左右中央付近に配置される。第２ブロック５５Ｂは、第１ブロック５５Ａの前部の左側に間隔を有して配置される。第３ブロック５５Ｃは、第１ブロック５５Ａの左側かつ第２ブロック５５Ｂの後側に間隔を有して配置される。第４ブロック５５Ｄは、第１ブロック５５Ａの左側かつ第３ブロック５５Ｃの後側に間隔を有して配置される。第５ブロック５５Ｅは、直角に屈曲したブロックであり、第１ブロック５５Ａの右側及び前側かつ第２ブロック５５Ｂの前側に間隔を有して配置される。
【００３４】
第１ブロック５５Ａと第２ブロック５５Ｂと第３ブロック５５Ｃと第４ブロック５５Ｄとによって、第１ＦＦＣ６１を案内する第１案内部５６が形成される。一方、第１ブロック５５Ａと第５ブロック５５Ｅとによって、第２ＦＦＣ６２を案内する第２案内部５７が形成される。
【００３５】
第１案内部５６における第１ＦＦＣ６１は、連結部６Ｅ側から順に、第１ブロック５５Ａと第２ブロック５５Ｂとの間を通り、第２ブロック５５Ｂと第３ブロック５５Ｃとの間を通り、第３ブロック５５Ｃに沿って湾曲し、第３ブロック５５Ｃと第４ブロック５５Ｄとの間を通り、第１ブロック５５Ａと第４ブロック５５Ｄとの間を通っている。一方、第２案内部５７における第２ＦＦＣ６２は、第２ブロック５５Ｂと第５ブロック５５Ｅとの間で両面テープ５８により第５ブロック５５Ｅに固定され、第５ブロック５５Ｅに沿って直角に曲がり、第１ブロック５５Ａと第５ブロック５５Ｅとの間をまっすぐ通っている。
【００３６】
よって、第１案内部５６における第１ＦＦＣ６１は、第２案内部５７における第２ＦＦＣ６２よりも長くなる。換言すると、第１案内部５６は第２案内部５７よりもＦＦＣ６を案内する経路が長くなるように迂回していると言える。このような保持部５５により、第１ＦＦＣ６１の保持部５５と連結部６Ｅとの間の第１領域６１Ａの長さよりも、第２ＦＦＣ６２の保持部５５と連結部６Ｅとの間の第２領域６２Ａの長さが長くなる。
【００３７】
また、図８（ｂ）に示すように、保持部５５と読取ヘッド側端子６Ａとの間において、第１ＦＦＣ６１は、前後方向に折り返された第１折返し部６１Ｂと、前後方向から上下方向に折り返された第２折返し部６１Ｃとを有する。一方、保持部５５と読取ヘッド側端子６Ａとの間において、第２ＦＦＣ６２は、前後方向から上下方向に折り返された折返し部６２Ｂを有する。
【００３８】
よって、保持部５５と読取ヘッド側端子６Ａとの間において、第１ＦＦＣ６１は第２ＦＦＣ６２よりも長くなる。この構成により、第１領域６１Ａの長さよりも第２領域６２Ａの長さがさらに長くなる。
【００３９】
このように、第１領域６１Ａの長さよりも第２領域６２Ａの長さが長くなるため、第１ＦＦＣ６１の第１領域６１Ａは長手方向に引っ張られ、まっすぐ伸びた状態となる。一方、第２ＦＦＣ６２の第２領域６２Ａは長手方向に撓み、湾曲した状態となる。
【００４０】
具体的には、図８に示すように、第２領域６２Ａは、保持部５５に連結された部位と頂部６２Ｔとの間に位置し第１領域６１Ａに対して反るように湾曲している部位６２Ｅ１と、第１領域６１Ａから離れる側へ凸となっている頂部６２Ｔとを有している。また第２領域６２Ａは、頂部６２Ｔと連結部６Ｅとの間に位置し第１領域６１Ａに対して反るように湾曲している部位６２Ｅを有している。
【００４１】
このように、第２領域６２Ａの部位６２Ｅ１及び部位６２Ｅ２は、第１領域６１Ａに対して反るように湾曲していることにより、第２領域６２Ａから第１領域６１Ａ側へ向かって弾性力（復元力）を有している。これにより、ＦＦＣ６は第１領域６１Ａ及び第２領域６２Ａにおいて、湾曲部６Ｇの内周側（後側）へ押し付ける力が付与される。その結果、ＦＦＣ６が大きく膨らむことを抑制することができる。よって、ＦＦＣ６の座屈及び走査機構５１との干渉を抑制することができる。
【００４２】
また、第１領域６１Ａの長さよりも第２領域６２Ａの長さが長くなるため、読取ヘッド５が第１位置（図４参照）にある場合に、ＦＦＣ６の湾曲部６Ｇの外周側が内周側より長くなる。これにより、湾曲部６Ｇに掛かる応力が小さくなり、ＦＦＣ６の座屈を抑制することができる。また、保持部５５を設けることにより、第１ＦＦＣ６１と第２ＦＦＣ６２とが同じ長さであっても第１領域６１Ａの長さと第２領域６２Ａの長さとを異ならせることができる。
【００４３】
次に、図４から図６に示すように、ＦＦＣ６の連結部６Ｅ及び第２領域６２Ａは、読取ヘッド５の位置によらず、後側壁３１Ｂから離れた位置に配置される。つまり、ＦＦＣ６の連結部６Ｅ及び第２領域６２Ａは、読取ヘッド５が第１位置（図４参照）にある場合に、後側壁３１Ｂから離れた位置に配置される。
【００４４】
これにより、読取ヘッド５が第１位置（図４参照）にある場合に、連結部６Ｅ及び第２領域６２Ａが後側壁３１Ｂに当接しないため、第１領域６１Ａ及び第２領域６２Ａで形成される湾曲部６Ｇが後側壁３１Ｂに当接することによって連結部６Ｅ付近が後側壁３１Ｂから離間することがないため、連結部６Ｅ付近での座屈を抑制できる。
【００４５】
［変形例］
上記の実施形態において、ＦＦＣ６は第１ＦＦＣ６１と第２ＦＦＣ６２の一体成型品としたが、第１ＦＦＣ６１と第２ＦＦＣ６２とは別体であってもよい。つまり、ＦＦＣ６は、２本のＦＦＣを用いて作製してもよい。この場合、読取ヘッド側端子６Ａに相当する被接続部は、第１ＦＦＣの端部である第１被接続部と、第２ＦＦＣの端部である第２被接続部とで構成される。そして、連結部６Ｅに替えて第１保持部はクリップや両面テープ等を用いて２本のＦＦＣを固定することにより形成することができる。
【００４６】
この構成によれば、汎用のＦＦＣを用いてＦＦＣ６を作製できる。また、長さの異なる２本のＦＦＣを用いることにより、保持部５５に替えて第２保持部は第１保持部と同様にクリップや両面テープ等を用いて形成することができる。
【００４７】
上記の実施形態において、保持部５５は、第１案内部５６が迂回することで第２案内部５７よりもＦＦＣ６を案内する経路が長い構成としたが、逆に第２案内部が迂回することで第１案内部よりもＦＦＣ６を案内する経路が長い構成としてもよい。この場合、第１ＦＦＣ６１の保持部から連結部までの第１領域の長さが、第２ＦＦＣ６２の保持部から連結部までの第２領域の長さより長くなる。
【００４８】
このように、第２領域の長さよりも第１領域の長さが長くなるため、第１ＦＦＣ６１の第１領域は長手方向に撓み、湾曲した状態となる。一方、第２ＦＦＣ６２の第２領域は長手方向に引っ張られ、まっすぐ伸びた状態となる。その結果、ＦＦＣ６は、第２領域が引張されて変形しにくくなり、ＦＦＣ６が大きく膨らむことを抑制することができる。これにより、ＦＦＣ６の座屈及び走査機構５１との干渉を抑制することができる。
【００４９】
このように、第２保持部は、第１ＦＦＣ６１の第１領域の長さと第２ＦＦＣ６２の第２領域の長さとを異ならせた状態で保持する構成であればよい。これにより、第１領域及び第２領域に腰を持たせてＦＦＣ６が大きく膨らむことを抑制することができる。
【００５０】
また、第１ＦＦＣ６１又は第２ＦＦＣ６２の替わりに、樹脂テープ等の可撓性部材を用いてもよい。例えば第２ＦＦＣ６２の替わりに可撓性部材を用いる場合、可撓性部材は、第１ＦＦＣ６１の湾曲部の外側に配置される。そして、可撓性部材の一端部は、被固定部と読取ヘッド側端子との間に設けられる両面テープ等で形成された第１保持部によって第１ＦＦＣ６１に連結される。一方、可撓性部材の他端部は、第１保持部と読取ヘッド側端子との間に設けられる両面テープ等で形成された第２保持部によって第１ＦＦＣ６１に保持される。
【００５１】
第２保持部は、第１ＦＦＣ６１の保持部から連結部までの第１領域の長さと可撓性部材の保持部から連結部までの第２領域の長さとを異ならせた状態で第１ＦＦＣ６１と可撓性部材とを保持する。このような構成によっても、第１領域及び第２領域に腰を持たせてＦＦＣが大きく膨らむことを抑制することができる。
【００５２】
上記の実施形態では画像処理装置１として複合機を例に説明したが、画像処理装置としては、スキャナ、インクジェットプリンタ、複写機等であってもよい。そして、スキャナに適用した場合の移動体は原稿を読み取る読取ヘッド及びキャリッジであり、インクジェットプリンタに適用した場合の移動体はインクを吐出する吐出ヘッド及びキャリッジである。
【００５３】
［実施形態の効果］
上記の実施形態の画像処理装置１は、第１方向へ移動する読取ヘッド５を備える。また画像処理装置１は、第１方向と直交する第２方向において読取ヘッド５の一側に配置された後側壁３１Ｂと、読取ヘッド５を挟んで後側壁３１Ｂとは反対側に配置された前側壁３１Ｃと、後側壁３１Ｂ及び前側壁３１Ｃを繋ぐ底壁３１Ａと、を有する筐体３１を備える。また画像処理装置１は、読取ヘッド５に接続された読取ヘッド側端子６Ａと、後側壁３１Ｂに固定された被固定部６Ｆと、湾曲して読取ヘッド側端子６Ａと被固定部６Ｆとを繋ぐ湾曲部６Ｇとを有するＦＦＣ６を備える。そして、ＦＦＣ６は、湾曲部６Ｇの内周側に配置された第１ＦＦＣ６１と、湾曲部６Ｇの外周側に配置された第２ＦＦＣ６２とを有する。また画像処理装置１は、被固定部６Ｆと読取ヘッド側端子６Ａとの間に設けられ、第１ＦＦＣ６１と第２ＦＦＣ６２とを連結する連結部６Ｅを備える。また画像処理装置１は、連結部６Ｅと読取ヘッド側端子６Ａとの間に設けられた保持部５５であって、第１ＦＦＣ６１の連結部６Ｅから保持部５５までの第１領域６１Ａの長さと第２ＦＦＣ６２の連結部６Ｅから保持部５５までの第２領域６２Ａの長さとを異ならせた状態で第１ＦＦＣ６１と第２ＦＦＣ６２とを保持する保持部５５を備える。
【００５４】
この構成によれば、ＦＦＣ６を筐体３１の後側壁３１Ｂ側から読取ヘッド５側へ湾曲させた状態で配置する構成において、第１領域６１Ａの長さと第２領域６２Ａの長さとを異ならせることにより、第１領域６１Ａ及び第２領域６２Ａに腰を持たせてＦＦＣ６が大きく膨らむことを抑制することができる。これにより、ＦＦＣ６の座屈及び走査機構５１との干渉を抑制することができる。
【００５５】
上記の実施形態の画像処理装置１によれば、第２領域６２Ａは第１領域６１Ａより長い。
【００５６】
この構成によれば、湾曲部６Ｇの外周側に配置される第２ＦＦＣ６２の第２領域６２Ａを第１領域６１Ａより長くすることにより、ＦＦＣ６は第１領域６１Ａ及び第２領域６２Ｂにおいて内周側へ押し付ける力が付与され、ＦＦＣ６が膨らむことを抑制することができる。
【００５７】
上記の実施形態の画像処理装置１によれば、第１保持部及び第２領域６２Ａは、読取ヘッド５の位置によらず、後側壁３１Ｂから離れた位置にある。
【００５８】
この構成によれば、第１保持部及び第２領域６２Ａが後側壁３１Ｂに当接しないため、第２領域６２Ａの湾曲部６Ｇが後側壁３１Ｂに当接することによって第１保持部付近が後側壁３１Ｂから離間することがないため、第１保持部付近での座屈を抑制できる。
【００５９】
上記の実施形態の画像処理装置１によれば、保持部５５は、キャリッジ５０に設けられ、第１ＦＦＣ６１を案内する第１案内部５６と、第２ＦＦＣ６２を案内する第２案内部５７と、を有し、第１案内部５６及び第２案内部５７の一方は他方よりも迂回する。
【００６０】
この構成によれば、第１案内部５６と第２案内部５７の案内長さを異ならせることにより、同じ長さの第１ＦＦＣ６１と第２ＦＦＣ６２とを用いても第１領域６１Ａの長さと第２領域６２Ａの長さとを異ならせることができる。
【００６１】
上記の実施形態の画像処理装置１によれば、ＦＦＣ６は、第１ＦＦＣ６１と第２ＦＦＣ６２とが一体であり、被固定部６Ｆと連結部６Ｅとの間にＦＦＣ６の長手方向に沿って形成される第１スリット６Ｃと、連結部６Ｅと読取ヘッド側端子６Ａとの間であって第１スリット６Ｃの延長線上に形成される第２スリット６Ｄとを有し、第１スリット６Ｃ及び第２スリット６Ｄに沿って折り曲げられて第１ＦＦＣ６１及び第２ＦＦＣ６２が形成される。
【００６２】
この構成によれば、第１ＦＦＣ６１及び第２ＦＦＣ６２を１本のＦＦＣによって作製できる。
【００６３】
上記の変形例の画像処理装置によれば、第１ＦＦＣと第２ＦＦＣとは別体であり、被接続部は、第１ＦＦＣの端部である第１被接続部と、第２ＦＦＣの端部である第２被接続部とを有する。
【００６４】
この構成によれば、ＦＦＣ６を２本のＦＦＣを用いて作製できる。
【００６５】
上記の変形例の画像処理装置は、第１方向へ移動する読取ヘッド５を備える。また画像処理装置１は、第１方向と直交する第２方向において読取ヘッド５の一側に配置された後側壁３１Ｂと、読取ヘッド５を挟んで後側壁３１Ｂとは反対側に配置された前側壁３１Ｃと、後側壁３１Ｂ及び前側壁３１Ｃを繋ぐ底壁３１Ａと、を有する筐体３１を備える。また画像処理装置１は、読取ヘッド５に接続された読取ヘッド側端子６Ａと、後側壁３１Ｂに固定された被固定部６Ｆと、湾曲して読取ヘッド側端子と被固定部とを繋ぐ湾曲部とを有するＦＦＣを備える。また画像処理装置１は、ＦＦＣの内周側又は外周側に配置された可撓性部材を備える。また画像処理装置１は、被固定部と読取ヘッド側端子との間に設けられ、ＦＦＣと可撓性部材とを保持する第１保持部を備える。また画像処理装置１は、第１保持部と読取ヘッド側端子との間に設けられた第２保持部であって、ＦＦＣの第１保持部から第２保持部までの第１領域の長さと可撓性部材の第１保持部から第２保持部までの第２領域の長さとを異ならせた状態でＦＦＣと可撓性部材とを保持する第２保持部を備える。
【００６６】
この構成によれば、第１ＦＦＣ又は第２ＦＦＣの替わりに樹脂テープ等の可撓性部材を用いることができる。
【符号の説明】
【００６７】
１          画像処理装置
５          読取ヘッド（移動体）
６          ＦＦＣ（フラットケーブル）
６Ａ        読取ヘッド側端子（被接続部）
６Ｃ        第１スリット
６Ｄ        第２スリット
６Ｅ        連結部（第１保持部）
６Ｆ        被固定部
６Ｇ        湾曲部
３１        筐体
３１Ａ      底壁
３１Ｂ      後側壁（第１側壁）
３１Ｃ      前側壁（第２側壁）
５０        キャリッジ（移動体）
５５        保持部（第２保持部）
５６        第１案内部
５７        第２案内部
６１        第１ＦＦＣ（第１フラットケーブル）
６１Ａ      第１領域
６２        第２ＦＦＣ（第２フラットケーブル）
６２Ａ      第２領域
【図１】
2019134228.tif 000003
【図２】
2019134228.tif 000004
【図３】
2019134228.tif 000005
【図４】
2019134228.tif 000006
【図５】
2019134228.tif 000007
【図６】
2019134228.tif 000008
【図７】
2019134228.tif 000009
【図８】
2019134228.tif 000010